(57)【要約】【課題】表示させるべき画像データを生成する信号源が１つであっても、簡易な構成で複数の表示部における表示を行うことができる表示装置を提供する。【解決手段】本液晶表示装置は、データドライバ１０１、ゲートドライバ１０２、アクティブマトリクス形の表示部１０３、および表示制御回路１２０を備える第１の液晶表示装置１００と、これらを同様に備えるが、表示制御回路１２０とは異なる構成の表示制御回路２２０を備える第２の液晶表示装置２００とからなる。表示制御回路２２０は、表示制御回路１２０を介して外部の信号源から受け取る切換用垂直同期信号Ｓｖｓを垂直同期信号ＨＳＹに相当する信号として取り扱う。このことにより、第２の液晶表示装置２００は画像データＤＡの後半部分を表示し、第１の液晶表示装置１００は画像データＤＡの前半部分を表示するので、単一の画像データに基づき複数の異なる表示を行うことができる。【選択図】図１
2007029608.tif 000002
【特許請求の範囲】
【請求項１】
装置外部の信号源により生成される単一の映像信号であって各フレームに表示すべき画像を表す画像データを含む映像信号を受け取る第１および第２の表示装置を備える表示装置であって、
前記第１の表示装置は、前記映像信号に含まれる前記画像データのうちの各フレームにおける最初の時点から予め定められた時点までの画像データに基づく表示を行い、
前記第２の表示装置は、前記映像信号に含まれる前記画像データのうちの所定の切換信号により示される前記時点から各フレームにおける最後の時点までの画像データに基づく表示を行うことを特徴とする、表示装置。
【請求項２】
前記第２の表示装置は、前記信号源により生成される前記切換信号を受け取ることを特徴とする、請求項１に記載の表示装置。
【請求項３】
前記第１の表示装置は、前記信号源により生成される同期信号に基づき前記切換信号を生成し、前記第２の表示装置に与えることを特徴とする、請求項１に記載の表示装置。
【請求項４】
前記第１の表示装置は、前記信号源により生成される同期信号に基づき前記画像データに基づく表示を行い、
前記第２の表示装置は、前記切換信号を前記同期信号に相当する信号として、前記切換信号に基づき、前記画像データに基づく表示を行うことを特徴とする、請求項２または請求項３に記載の表示装置。
【請求項５】
前記映像信号を受け取る第３の表示装置をさらに備え、
前記第１の表示装置は、前記映像信号に含まれる前記画像データのうちの各フレームにおける最初の時点から予め定められた第１の時点までの画像データに基づく表示を行い、
前記第２の表示装置は、前記映像信号に含まれる前記画像データのうちの所定の第１の切換信号により示される前記第１の時点から予め定められた第２の時点までの画像データに基づく表示を行い、
前記第３の表示装置は、前記映像信号に含まれる前記画像データのうちの所定の第２の切換信号により示される前記第２の時点から各フレームにおける最後の時点までの画像データに基づく表示を行うことを特徴とする、請求項１から請求項４までのいずれか１項に記載の表示装置。
【請求項６】
装置外部の信号源から、各フレームに表示すべき画像を表す画像データを含む単一の映像信号と水平同期期間の情報を含む同期信号とを受け取る第１および第２の表示装置を備える表示装置であって、
前記第１の表示装置は、前記同期信号に基づき、前記映像信号に含まれる前記画像データのうちの各フレームにおける最初の時点から予め定められた時点までの画像データに基づく表示を行い、
前記第２の表示装置は、前記同期信号に基づき、前記映像信号に含まれる前記画像データのうちの前記同期信号に含まれる水平同期期間の数を計数することにより判断される前記時点から各フレームにおける最後の時点までの画像データに基づく表示を行うことを特徴とする、表示装置。
【請求項７】
前記映像信号と前記同期信号とを受け取る第３の表示装置をさらに備え、
前記第１の表示装置は、前記同期信号に基づき、前記映像信号に含まれる前記画像データのうちの各フレームにおける最初の時点から予め定められた第１の時点までの画像データに基づく表示を行い、
前記第２の表示装置は、前記同期信号に基づき、前記映像信号に含まれる前記画像データのうちの前記同期信号に含まれる水平同期期間の数を計数することにより判断される前記第１の時点から予め定められた第２の時点までの画像データに基づく表示を行い、
前記第３の表示装置は、前記同期信号に基づき、前記映像信号に含まれる前記画像データのうちの前記同期信号に含まれる水平同期期間の数を計数することにより判断される前記第２の時点から各フレームにおける最後の時点までの画像データに基づく表示を行うことを特徴とする、請求項６に記載の表示装置。
【請求項８】
装置外部の信号源から、各フレームに表示すべき画像を表す画像データであって順に配置される複数の画像データを含む単一の映像信号と同期信号とを受け取る第１および第２の表示装置を備える表示装置であって、
前記第１の表示装置は、前記同期信号に基づき、前記映像信号に含まれる前記画像データのうちの各フレームにおける奇数番目の画像データに基づく表示を行い、
前記第２の表示装置は、前記同期信号に基づき、前記映像信号に含まれる前記画像データのうちの各フレームにおける偶数番目の画像データに基づく表示を行うことを特徴とする、表示装置。
【請求項９】
装置外部の信号源から、各フレームに表示すべき画像を表す画像データであって順に配置される複数の画像データを含む単一の映像信号と同期信号とを受け取る第１、第２、および第３の表示装置を備える表示装置であって、
前記第１の表示装置は、前記同期信号に基づき、前記映像信号に含まれる前記画像データのうちの各フレームにおける最初の画像データおよび前記最初の画像データから２つずつ間隔をあけた画像データに基づく表示を行い、
前記第２の表示装置は、前記同期信号に基づき、前記映像信号に含まれる前記画像データのうちの各フレームにおける２番目の画像データおよび前記２番目の画像データから２つずつ間隔をあけた画像データに基づく表示を行い、
前記第３の表示装置は、前記同期信号に基づき、前記映像信号に含まれる前記画像データのうちの各フレームにおける３番目の画像データおよび前記３番目の画像データから２つずつ間隔をあけた画像データに基づく表示を行うことを特徴とする、表示装置。
【請求項１０】
前記第１および第２の表示装置は、所定の無線方式により接続されることを特徴とする、請求項１から請求項９までのいずれかに記載の表示装置。
【請求項１１】
前記第１および第２の表示装置は、液晶パネルを含み、前記液晶パネルにより前記画像データに基づく表示を行うことを特徴とする、請求項１から請求項１０までのいずれかに記載の表示装置。
【請求項１２】
前記第１および第２の表示装置は、カラードットマトリクス型の液晶パネルを含み、前記液晶パネルにより前記画像データに基づくカラー表示を行うことを特徴とする、請求項請求項１１に記載の表示装置。
【請求項１３】
請求項１から請求項１２までのいずれかに記載の表示装置と、
前記表示装置に単一の映像信号を与える信号源と、
所定の遊技者の操作入力を受け付ける操作部と、
前記操作部により前記操作入力が受け付けられた場合に回転する１つ以上の回転ドラムとを備える遊技機。
【請求項１４】
前記第１の表示装置および前記第２の表示装置は、前記回転ドラムの周囲近傍であって、前記回転ドラムを挟む位置に配置されることを特徴とする、請求項１３に記載の遊技機。
【請求項１５】
前記表示装置の配置位置を移動する駆動部をさらに備え、
前記表示装置は、前記駆動部により移動されることを特徴とする、請求項１３または請求項１４に記載の遊技機。
【請求項１６】
前記第１の表示装置および前記第２の表示装置は、
前記遊技者による遊技中の期間を含む所定の動作期間中、前記回転ドラムの周囲近傍であって、前記回転ドラムを挟む位置に前記駆動部により配置され、
前記動作期間を除く待機期間中、前記回転ドラムが覆われるように、前記第１の表示装置の所定の一辺および前記第２の表示装置の所定の一辺が接触する位置に前記駆動部により配置されることを特徴とする、請求項１５に記載の遊技機。
【発明の詳細な説明】
【技術分野】
【０００１】
本発明は、表示装置およびそれを備えた遊技機に関するものであり、更に詳しくは、１つの入力信号に基づき異なる表示を行う２つの表示装置およびそれを備えた遊技機に関する。
【背景技術】
【０００２】
従来より、パチンコ型遊技機およびスロットマシン型遊技機には、その遊技者に対向する面の中央近傍において、水平方向に回転軸を有する３個の回転ドラムを有しており、所定の場合にこれらが回転しその後順次停止するように構成されているものがある。また、これらの遊技機には、その回転ドラム周辺にさらに薄型で小型（または中型）の液晶表示装置が設けられており、この液晶表示装置に様々な静止画像または動画像を表示させるように構成されているものがある。
【０００３】
一般に、アクティブマトリクス型の液晶表示装置は、液晶層を挟持する２枚の基板を含む表示部を備えており、当該２枚の基板のうち一方の基板には、映像信号線としての複数のデータ線と走査信号線として複数のゲート線とが格子状に配置され、それら複数のデータ線とゲート線との交差点にそれぞれ対応してマトリクス状に配置された複数の画素形成部が設けられている。また、アクティブマトリクス型液晶表示装置は、その表示部のデータ線を駆動するデータドライバ、その表示部のゲート線を駆動するゲートドライバ、および、それらデータドライバとゲートドライバを制御するための表示制御回路を有している。これらの構成により、高速で高精細の表示を行うことができ、かつ小型、薄型で低消費電力にすることができる。
【０００４】
また近年では、上記遊技機に設けられる液晶表示装置は２つ以上が設けられることが多く、これらの液晶表示装置それぞれに対応する信号源が必要となっている。しかし、大きさの限られたパチンコ型遊技機およびスロットマシン型遊技機に、これらの信号源を配置するための空間は少なく、また信号源の制御も複雑となる。
【０００５】
そこで従来より、液晶表示装置の表示領域内の中央近傍に高透過領域が設けられており、この高透過領域が（遊技者から見て）回転ドラムの前面に位置するよう液晶表示装置を１つ配置することにより、回転ドラムの周囲で様々な表示を行うことができるように構成されたスロットマシン型遊技機がある（特許文献１を参照）。
【０００６】
また従来より、液晶表示装置の中央近傍に透明または無彩色の透視部が設けられ、その周辺に表示部が設けられており、この透視部が回転ドラム（回転表示器）の前面に位置するよう液晶表示装置を１つ配置することにより、回転ドラムの周囲で様々な表示を行うことができるように構成されたスロットマシン型遊技機がある（特許文献２を参照）。
【０００７】
【特許文献１】特開２００４−３２９６８７号公報
【特許文献２】特開２００４−８９７０７号公報
【発明の開示】
【発明が解決しようとする課題】
【０００８】
しかし、上記のような従来のスロットマシン型遊技機は、いずれも特殊な構造を有する液晶表示装置が必要であり、上述した構成のアクティブマトリクス型液晶表示装置においてこのような特殊な構造を実現するには、製造コストがかかる。
【０００９】
また、従来のスロットマシン型遊技機は、いずれも回転ドラムの前面に液晶表示装置が配置されるので、その高透過領域または透視部が外光を全く反射せずかつ光を完全に透過するものでないかぎり、回転ドラムが見にくくなることは避けられない。
【００１０】
そこで本発明は、表示させるべき画像データを生成する信号源が１つであっても、簡易な構成で複数の表示部における表示を行うことができる表示装置およびそれを備える遊技機を提供することを目的とする。
【課題を解決するための手段】
【００１１】
第１の発明は、装置外部の信号源により生成される単一の映像信号であって各フレームに表示すべき画像を表す画像データを含む映像信号を受け取る第１および第２の表示装置を備える表示装置であって、
前記第１の表示装置は、前記映像信号に含まれる前記画像データのうちの各フレームにおける最初の時点から予め定められた時点までの画像データに基づく表示を行い、
前記第２の表示装置は、前記映像信号に含まれる前記画像データのうちの所定の切換信号により示される前記時点から各フレームにおける最後の時点までの画像データに基づく表示を行うことを特徴とする。
【００１２】
第２の発明は、第１の発明において、
前記第２の表示装置は、前記信号源により生成される前記切換信号を受け取ることを特徴とする。
【００１３】
第３の発明は、第１の発明において、
前記第１の表示装置は、前記信号源により生成される同期信号に基づき前記切換信号を生成し、前記第２の表示装置に与えることを特徴とする。
【００１４】
第４の発明は、第２または第３の発明において、
前記第１の表示装置は、前記信号源により生成される同期信号に基づき前記画像データに基づく表示を行い、
前記第２の表示装置は、前記切換信号を前記同期信号に相当する信号として、前記切換信号に基づき、前記画像データに基づく表示を行うことを特徴とする。
【００１５】
第５の発明は、第１から第４までのいずれか１つの発明において、
前記映像信号を受け取る第３の表示装置をさらに備え、
前記第１の表示装置は、前記映像信号に含まれる前記画像データのうちの各フレームにおける最初の時点から予め定められた第１の時点までの画像データに基づく表示を行い、
前記第２の表示装置は、前記映像信号に含まれる前記画像データのうちの所定の第１の切換信号により示される前記第１の時点から予め定められた第２の時点までの画像データに基づく表示を行い、
前記第３の表示装置は、前記映像信号に含まれる前記画像データのうちの所定の第２の切換信号により示される前記第２の時点から各フレームにおける最後の時点までの画像データに基づく表示を行うことを特徴とする。
【００１６】
第６の発明は、装置外部の信号源から、各フレームに表示すべき画像を表す画像データを含む単一の映像信号と水平同期期間の情報を含む同期信号とを受け取る第１および第２の表示装置を備える表示装置であって、
前記第１の表示装置は、前記同期信号に基づき、前記映像信号に含まれる前記画像データのうちの各フレームにおける最初の時点から予め定められた時点までの画像データに基づく表示を行い、
前記第２の表示装置は、前記同期信号に基づき、前記映像信号に含まれる前記画像データのうちの前記同期信号に含まれる水平同期期間の数を計数することにより判断される前記時点から各フレームにおける最後の時点までの画像データに基づく表示を行うことを特徴とする。
【００１７】
第７の発明は、第６の発明において、
前記映像信号と前記同期信号とを受け取る第３の表示装置をさらに備え、
前記第１の表示装置は、前記同期信号に基づき、前記映像信号に含まれる前記画像データのうちの各フレームにおける最初の時点から予め定められた第１の時点までの画像データに基づく表示を行い、
前記第２の表示装置は、前記同期信号に基づき、前記映像信号に含まれる前記画像データのうちの前記同期信号に含まれる水平同期期間の数を計数することにより判断される前記第１の時点から予め定められた第２の時点までの画像データに基づく表示を行い、
前記第３の表示装置は、前記同期信号に基づき、前記映像信号に含まれる前記画像データのうちの前記同期信号に含まれる水平同期期間の数を計数することにより判断される前記第２の時点から各フレームにおける最後の時点までの画像データに基づく表示を行うことを特徴とする。
【００１８】
第８の発明は、装置外部の信号源から、各フレームに表示すべき画像を表す画像データであって順に配置される複数の画像データを含む単一の映像信号と同期信号とを受け取る第１および第２の表示装置を備える表示装置であって、
前記第１の表示装置は、前記同期信号に基づき、前記映像信号に含まれる前記画像データのうちの各フレームにおける奇数番目の画像データに基づく表示を行い、
前記第２の表示装置は、前記同期信号に基づき、前記映像信号に含まれる前記画像データのうちの各フレームにおける偶数番目の画像データに基づく表示を行うことを特徴とする。
【００１９】
第９の発明は、装置外部の信号源から、各フレームに表示すべき画像を表す画像データであって順に配置される複数の画像データを含む単一の映像信号と同期信号とを受け取る第１、第２、および第３の表示装置を備える表示装置であって、
前記第１の表示装置は、前記同期信号に基づき、前記映像信号に含まれる前記画像データのうちの各フレームにおける最初の画像データおよび前記最初の画像データから２つずつ間隔をあけた画像データに基づく表示を行い、
前記第２の表示装置は、前記同期信号に基づき、前記映像信号に含まれる前記画像データのうちの各フレームにおける２番目の画像データおよび前記２番目の画像データから２つずつ間隔をあけた画像データに基づく表示を行い、
前記第３の表示装置は、前記同期信号に基づき、前記映像信号に含まれる前記画像データのうちの各フレームにおける３番目の画像データおよび前記３番目の画像データから２つずつ間隔をあけた画像データに基づく表示を行うことを特徴とする。
【００２０】
第１０の発明は、第１から第９までのいずれか１つの発明において、
前記第１および第２の表示装置は、所定の無線方式により接続されることを特徴とする。
【００２１】
第１１の発明は、第１から第１０までのいずれか１つの発明において、
前記第１および第２の表示装置は、液晶パネルを含み、前記液晶パネルにより前記画像データに基づく表示を行うことを特徴とする。
【００２２】
第１２の発明は、第１１の発明において、
前記第１および第２の表示装置は、カラードットマトリクス型の液晶パネルを含み、前記液晶パネルにより前記画像データに基づくカラー表示を行うことを特徴とする。
【００２３】
第１３の発明は、請求項１から請求項１２までのいずれかに記載の表示装置と、
前記表示装置に単一の映像信号を与える信号源と、
所定の遊技者の操作入力を受け付ける操作部と、
前記操作部により前記操作入力が受け付けられた場合に回転する１つ以上の回転ドラムとを備える遊技機である。
【００２４】
第１４の発明は、第１３の発明において、
前記第１の表示装置および前記第２の表示装置は、前記回転ドラムの周囲近傍であって、前記回転ドラムを挟む位置に配置されることを特徴とする。
【００２５】
第１５の発明は、第１３または第１４の発明において、
前記表示装置の配置位置を移動する駆動部をさらに備え、
前記表示装置は、前記駆動部により移動されることを特徴とする。
【００２６】
第１６の発明は、第１５の発明において、
前記第１の表示装置および前記第２の表示装置は、
前記遊技者による遊技中の期間を含む所定の動作期間中、前記回転ドラムの周囲近傍であって、前記回転ドラムを挟む位置に前記駆動部により配置され、
前記動作期間を除く待機期間中、前記回転ドラムが覆われるように、前記第１の表示装置の所定の一辺および前記第２の表示装置の所定の一辺が接触する位置に前記駆動部により配置されることを特徴とする。
【発明の効果】
【００２７】
上記第１の発明によれば、第２の表示装置が映像信号に含まれる画像データのうちの所定の切換信号により示される時点から各フレームにおける最後の時点までの画像データに基づく表示を行うので、表示させるべき画像データを生成する信号源が１つであっても、本表示装置は、切換信号に基づく簡易な構成で２つの表示部における表示を行うことができる。
【００２８】
上記第２の発明によれば、第２の表示装置が外部の信号源により生成される切換信号を受け取るので、第２の表示装置の構成をより簡易にすることができる。
【００２９】
上記第３の発明によれば、第１の表示装置が信号源により生成される同期信号に基づき切換信号を生成するので、信号源の構成をより簡易にすることができる。
【００３０】
上記第４の発明によれば、第１の表示装置が信号源により生成される同期信号に基づく表示を行い、第２の表示装置が外部の信号源または第１の表示装置により生成される切換信号を同期信号に相当する信号として表示を行うので、第１および第２の表示装置を同期信号に基づき表示を行う一般的かつ簡易な構成とすることができる。
【００３１】
上記第５の発明によれば、所定の第２の切換信号により示される第２の時点から各フレームにおける最後の時点までの画像データに基づく表示を行う第３の表示装置を新たに備えることにより、簡易な構成で３つ以上の表示部における表示を行うことができる。
【００３２】
上記第６の発明によれば、第２の表示装置が同期信号に含まれる水平同期期間の数を計数することにより判断される予め定められた時点から各フレームにおける最後の時点までの画像データに基づく表示を行う。この構成では、外部の信号源や第１の表示装置において切換信号を生成する必要がないのでこれらを簡易な構成とすることができ、また第２の表示装置に与えられる信号を第１の表示装置に与えられる信号と同一にすることができる。
【００３３】
上記第７の発明によれば、同期信号に含まれる水平同期期間の数を計数することにより判断される第２の時点から各フレームにおける最後の時点までの画像データに基づく表示を行う第３の表示装置を新たに備えることにより、簡易な構成で３つ以上の表示部における表示を行うことができる。
【００３４】
上記第８の発明によれば、第１の表示装置が映像信号に含まれる画像データのうちの各フレームにおける奇数番目の画像データに基づく表示を行い、第２の表示装置が映像信号に含まれる画像データのうちの各フレームにおける偶数番目の画像データに基づく表示を行うので、簡易な構成で２つの表示部における表示を行うことができる。
【００３５】
上記第９の発明によれば、第３の表示装置が新たに備えられ、第１から第３の表示装置が各フレームにおいて順に２つずつ間隔をあけた画像データに基づく表示を行うことにより、簡易な構成で３つ以上の表示部における表示を行うことができる。
【００３６】
上記第１０の発明によれば、記第１および第２の表示装置が無線方式により接続されるので、有線接続の場合よりも第１の表示装置および第２の表示装置の配置位置が自由となり、また配線に必要なスペースを省略することができる。
【００３７】
上記第１１の発明によれば、液晶パネルにより表示を行うので、小型、薄型で低消費電力にすることができる。
【００３８】
上記第１２の発明によれば、カラードットマトリクス型の液晶パネルにより美しいカラー表示を行うことができる。
【００３９】
上記第１３の発明によれば、上記表示装置と、遊技者の操作入力を受け付ける操作部と、上記操作入力が受け付けられた場合に回転する１つ以上の回転ドラムとを備える構成により、簡易な構成で２つの表示部における表示を行うことができる表示装置を備える遊技機を実現することができる。。
【００４０】
上記第１４の発明によれば、第１の表示装置および第２の表示装置が回転ドラムの周囲近傍であって回転ドラムを挟む位置に配置されるので、遊技者の目を引くことにより、遊技機の遊戯性を高めることができる。
【００４１】
上記第１５の発明によれば、表示装置が駆動部により移動されるので、遊戯者に興味を抱かせ、目を引く演出を行うことが可能となる。
【００４２】
上記第１６の発明によれば、第１および第２の表示装置が所定の動作期間中は回転ドラムを挟む位置に配置され、動作期間を除く待機期間中は回転ドラムが覆われるように第１の表示装置の所定の一辺および第２の表示装置の所定の一辺が接触する位置に配置される。この構成では、待機期間中、スロットマシン型遊技機などの一般的な遊技機の外観とは異なるものとなるので、遊戯者に興味を抱かせることができ、また所定の一辺同士が接触する位置にある第１および第２の表示装置により、例えば（連続した）１枚の静止画像または動画像を表示することができるので、このことにより遊戯者に興味を抱かせ、目を引く演出を行うことが可能となる。また、動作期間中は、遊技者の目を引く構成となり、遊技機の遊戯性を高めることができる。
【発明を実施するための最良の形態】
【００４３】
以下、添付図面を参照して本発明の各実施形態について説明する。
＜１．  第１の実施形態作＞
＜１．１  全体的な構成および動作＞
まず、本発明の第１の実施形態に係る液晶表示装置の構成および動作について図１を参照して説明する。なお、この液晶表示装置は、２つの液晶表示装置からなり、これらは表示制御回路の構成が一部異なる点を除き、同一の構成である。
【００４４】
図１は、本実施形態に係る液晶表示装置の構成をその表示部の等価回路と共に示すブロック図である。図１に示されるように、この液晶表示装置は、第１の液晶表示装置１００および第２の液晶表示装置２００からなる。これら第１の液晶表示装置１００および第２の液晶表示装置２００は、３２０×２４０ドットで表示を行う。
【００４５】
第１の液晶表示装置１００は、映像信号線駆動回路としてのデータドライバ１０１と、走査信号線駆動回路としてのゲートドライバ１０２と、アクティブマトリクス形の表示部１０３と、データドライバ１０１およびゲートドライバ１０２を制御するための表示制御回路１２０とを備えている。
【００４６】
第２の液晶表示装置２００は、第１の液晶表示装置１００におけると同様の、データドライバ２０１と、ゲートドライバ２０２と、表示部２０３とを備え、さらに第１の液晶表示装置１００における表示制御回路１２０とは異なる構成の表示制御回路２２０を備えている。まず、第１の液晶表示装置１００について説明する。
【００４７】
第１の液晶表示装置１００における表示部１０３は、外部の信号源（不図示）から表示制御回路１２０が受け取る映像信号に含まれる画像データの表す画像における水平走査線にそれぞれが対応する複数本（ｍ本）のゲート線ＧＬ１〜ＧＬｍと、それらのゲート線ＧＬ１〜ＧＬｍのそれぞれと交差する複数本（ｎ本）のデータ線（「ソースバスライン」とも呼ばれる）ＳＬ１〜ＳＬｎと、それらのゲート線ＧＬ１〜ＧＬｍとデータ線ＳＬ１〜ＳＬｎとの交差点にそれぞれ対応して設けられた複数個（ｍ×ｎ個）の画素形成部とを含む。
【００４８】
これらの画素形成部はマトリクス状に配置されて画素アレイを構成し、それぞれ予め定められた赤（Ｒ）、緑（Ｇ）、または青（Ｂ）のいずれかの色を形成する。これら各画素形成部は、対応する交差点を通過するゲート線ＧＬｊにゲート端子が接続される共に当該交差点を通過するデータ線ＳＬｋにソース端子が接続されたスイッチング素子であるＴＦＴ（Thin Film Transistor：薄膜トランジスタ）と、そのＴＦＴのドレイン端子に接続された画素電極と、上記複数の画素形成部に共通的に設けられた対向電極である共通電極Ｅｃと、上記複数の画素形成部に共通的に設けられ画素電極と共通電極Ｅｃとの間に挟持された液晶層とからなる。そして、画素電極と共通電極Ｅｃとにより形成される容量により画素容量Ｃｐが構成される。
【００４９】
本実施形態では、後述する切換用垂直同期信号Ｓｖｓ、単一の映像信号に含まれる液晶パネルに表示すべき画像を表す画像データ信号ＤＡ、水平同期信号ＨＳＹ、および垂直同期信号ＶＳＹ等の信号が外部の信号源（不図示）から表示制御回路１２０に送られる
【００５０】
表示制御回路１２０は、これら水平同期信号ＨＳＹおよび垂直同期信号ＶＳＹを受け取り、表示部１０３に表示させるための信号として、データドライバ用スタートパルス信号ＳＳＰ１と、データドライバ用クロック信号ＳＣＫ１と、ゲートドライバ用スタートパルス信号ＧＳＰ１と、ゲートドライバ用クロック信号ＧＣＫ１とを生成する。また、表示制御回路１２０は、画像データ信号ＤＡを受け取り、後述するようにその前半部分を画像データ信号ＤＡ１としてデータドライバ１０１に与える。さらに、表示制御回路１２０は、外部の信号源から後述する切換用垂直同期信号Ｓｖｓを受け取り、この切換用垂直同期信号Ｓｖｓと、上記画像データ信号ＤＡおよび水平同期信号ＨＳＹとを第２の液晶表示装置２００に与える。
【００５１】
データドライバ１０１は、データドライバ用スタートパルス信号ＳＳＰ１と、データドライバ用クロック信号ＳＣＫ１と、画像データ信号ＤＡ１とを表示制御回路１２０から受け取り、これらの信号に基づき、画像データ信号ＤＡ１の表す画像の各水平走査線における画素値に相当するアナログ電圧をデータ信号Ｓ（１）〜Ｓ（ｎ）として順次生成し、これらのデータ信号Ｓ（１）〜Ｓ（ｎ）を表示部１０３におけるデータ線ＳＬ１〜ＳＬｎにそれぞれ印加する。
【００５２】
ゲートドライバ１０２は、ゲートドライバ用スタートパルス信号ＧＳＰ１と、ゲートドライバ用クロック信号ＧＣＫ１とを表示制御回路から受け取り、これらの信号に基づき、画像データ信号ＤＡ１の表す画像を表示するための各フレーム期間（各垂直走査期間）において、表示部１０３におけるゲート線ＧＬ１〜ＧＬｍを１水平走査期間ずつ順次に選択し、選択したゲート線にアクティブなゲート信号（ＴＦＴ１０をオンさせる電圧）を印加する。
【００５３】
上記のように、データ線ＳＬ１〜ＳＬｎにはデータドライバ１０１からデータ信号Ｓ（１）〜Ｓ（ｎ）がそれぞれ印加され、ゲート線ＧＬ１〜ＧＬｍにはゲートドライバ１０２からゲート信号Ｇ（１）〜Ｇ（ｍ）がそれぞれ印加されることにより、表示部１０３における各画素容量Ｃｐには、画像データ信号ＤＡ１の表す画像における対応画素の値に応じた電圧がＴＦＴ１０を介して与えられて保持される。これにより、液晶層には、画像データ信号ＤＡ１に応じて各画素電極と共通電極Ｅｃとの電位差に相当する電圧が印加される。表示部１０３は、この印加電圧によって液晶層の光透過率を制御することにより、外部の信号源から受け取った画像データ信号ＤＡ１の表す画像を表示する。次に、このように表示を制御するための表示制御回路１２０の詳細な構成につき、以下に説明する。
【００５４】
＜１．２  第１の液晶表示装置における表示制御回路＞
図２は、上記の液晶表示装置における表示制御回路１２０の構成を簡略に示すブロック図である。この表示制御回路１２０は、従来と同様の構成のタイミング生成回路２１を備えており、このタイミング生成回路２１が水平同期信号ＨＳＹおよび垂直同期信号ＶＳＹを受け取ることにより、データドライバ用スタートパルス信号ＳＳＰ１と、データドライバ用クロック信号ＳＣＫ１と、ゲートドライバ用スタートパルス信号ＧＳＰ１と、ゲートドライバ用クロック信号ＧＣＫ１とを生成する。
【００５５】
また、この表示制御回路１２０は、外部の信号源から受け取った映像信号に含まれる画像データＤＡおよび水平同期信号ＨＳＹを第２の液晶表示装置２００へそのまま分配（分岐）出力している。さらに、この表示制御回路１２０は、外部の信号源から受け取った切換用垂直同期信号Ｓｖｓを第２の液晶表示装置２００へそのまま出力している。
【００５６】
ここで、この表示制御回路１２０に備えられるタイミング生成回路２１は、垂直同期信号ＶＳＹの立ち上がり時点を基準として画像データＤＡの開始位置を識別し、各種スタートパルス信号およびクロック信号を生成する。
【００５７】
図３は、本液晶表示装置における各種信号の簡略な波形図である。この図３に示す時刻ｔ１において、垂直同期信号ＶＳＹが立ち上がるので、タイミング生成回路２１はこの時刻ｔ１から最も近い水平同期信号ＨＳＹの立ち下がり時点、すなわち図３に示す時刻ｔ２から所定の期間（ここでは１水平同期期間（１Ｈ））経過後の時刻ｔ３において、画像データＤＡが開始される（すなわち最初の垂直画像データＤＨ１が始まる）ことを識別する。なお、上記所定の期間は、１Ｈの整数倍となる適宜の期間に設定することが可能である。また、ここでの垂直画像データは、本液晶表示装置の表示部１０３または表示部２０３における１行分の画像データを意味している。
【００５８】
このようにタイミング生成回路２１は、データドライバ１０１およびゲートドライバ１０２を制御する各種信号を生成することにより、画像データ信号ＤＡが示す画像を表示させる。ここで、第１の液晶表示装置１００の表示部１０３に表示される画像に対応するデータは、その表示範囲（３２０×２４０ドット）に対応して、画像データ信号ＤＡの前半部分である垂直画像データＤＨ１からＤＨ２４０までとなる。すなわち、画像データ信号ＤＡの後半部分である垂直画像データＤＨ２４１からＤＨ４８０までは、第１の液晶表示装置１００により表示することができないデータとして無視される。
【００５９】
＜１．３  第２の液晶表示装置の動作＞
第２の液晶表示装置２００は、前述のように第１の液晶表示装置１００とほぼ同様の構成であるが、受け取るデータおよび表示制御回路２２０の動作のみが異なる。以下、図４を参照して表示制御回路２２０の構成および動作を説明する。
【００６０】
図４は、表示制御回路２２０の構成を簡略に示すブロック図である。この表示制御回路１２０は、従来と同様の構成のタイミング生成回路２２を備えており、このタイミング生成回路２２が水平同期信号ＨＳＹおよび切換用垂直同期信号Ｓｖｓを受け取ることにより、データドライバ用スタートパルス信号ＳＳＰ２と、データドライバ用クロック信号ＳＣＫ２と、ゲートドライバ用スタートパルス信号ＧＳＰ２と、ゲートドライバ用クロック信号ＧＣＫ２とを生成する。また、表示制御回路１２０は、画像データ信号ＤＡを受け取り、後述するようにその後半部分を画像データ信号ＤＡ２としてデータドライバ２０１に与える。
【００６１】
ここで、この表示制御回路２２０に備えられるタイミング生成回路２２は、切換用垂直同期信号Ｓｖｓの立ち上がり時点を基準として、すなわち切換用垂直同期信号Ｓｖｓを垂直同期信号ＶＳＹに相当する信号として取り扱うことにより、画像データＤＡの開始位置を識別し、各種スタートパルス信号およびクロック信号を生成する。
【００６２】
図３を参照すると、時刻ｔ４において、切換用垂直同期信号Ｓｖｓは立ち上がるので、タイミング生成回路２２はこの時刻ｔ４から最も近い水平同期信号ＨＳＹの立ち下がり時点、すなわち図３に示す時刻ｔ５から所定の期間（ここでは１水平同期期間（１Ｈ））経過後の時刻ｔ６において、画像データＤＡが開始される（すなわち垂直画像データＤＨ２４１が始まる）ことを識別する。この垂直画像データＤＨ２４１が画像データＤＡ２に含まれる最初の垂直画像データＤＨ１としてデータドライバ２０１に与えられる。なお、上記所定の期間は、１Ｈの整数倍となる適宜の期間に設定することが可能である。
【００６３】
このように切換用垂直同期信号Ｓｖｓは、第２の液晶表示装置２００において、垂直同期信号に相当する信号として取り扱われる。そして、上記時刻ｔ６より前の画像データ信号ＤＡの前半部分である垂直画像データＤＨ１からＤＨ２４０までは無視され、画像データ信号ＤＡの後半部分である垂直画像データＤＨ２４１からＤＨ４８０までが画像データＤＡ２における垂直画像データＤＨ１からＤＨ２４０として表示されることになる。
【００６４】
ここで、このような動作を実現するためにタイミング生成回路２２は、図３に示す時刻ｔ６において開始される画像データＤＡに対応する画像が表示部２０３において表示されるように、適宜のタイミングでデータドライバ用スタートパルス信号ＳＳＰ２と、データドライバ用クロック信号ＳＣＫ２と、ゲートドライバ用スタートパルス信号ＧＳＰ２と、ゲートドライバ用クロック信号ＧＣＫ２とを生成する。したがって、これらの信号は、第１の液晶表示装置１００におけるデータドライバ用スタートパルス信号ＳＳＰ１と、データドライバ用クロック信号ＳＣＫ１と、ゲートドライバ用スタートパルス信号ＧＳＰ１と、ゲートドライバ用クロック信号ＧＣＫ１と同様の周知の機能を有しているが、開始時点が垂直画像データＤＨ１からＤＨ２４０まで長さに相当する期間だけ遅れることになる点で従来の動作とは異なる。なお、第２の液晶表示装置２００における表示動作中は、第１の液晶表示装置１００は表示動作を行う必要がないので、この期間中、第１の液晶表示装置１００におけるデータドライバ用スタートパルス信号ＳＳＰ１と、データドライバ用クロック信号ＳＣＫ１と、ゲートドライバ用スタートパルス信号ＧＳＰ１と、ゲートドライバ用クロック信号ＧＣＫ１とを、非アクティブ状態としてもよい。
【００６５】
＜１．４  第１の実施形態の効果＞
以上のように、第１の液晶表示装置１００は、垂直同期信号ＶＳＹを基準として、単一の映像信号に含まれる画像データ信号ＤＡの前半部分である垂直画像データＤＨ１からＤＨ２４０までを表示し、第２の液晶表示装置２００は、切換用垂直同期信号Ｓｖｓを基準として、単一の映像信号に含まれる画像データ信号ＤＡの後半部分である垂直画像データＤＨ２４１からＤＨ４８０までを表示するので、本液晶表示装置は、２つの信号源からそれぞれ異なる画像データを受け取る必要がない。よって、表示させるべき画像データ（を含む映像信号）を生成する信号源が１つであっても、簡易な構成で複数の表示部における表示を行うことができる。
【００６６】
＜２．  第２の実施形態＞
＜２．１  全体的な構成および動作＞
次に、本発明の第２の実施形態に係る液晶表示装置の構成および動作について説明する。本液晶表示装置の全体的な構成は、図１に示す第１の実施形態に係る液晶表示装置の構成とほぼ同様であるので、ほぼ同一の構成要素には同一の符号を付してその説明を省略する。本実施形態に係る液晶表示装置１００は、第１の実施形態に係る表示装置１００とは、外部の信号線から切換用垂直同期信号Ｓｖｓを受け取らない点と、第１の液晶表示装置１００における表示制御回路１２０に含まれるタイミング生成回路２１に代わる、表示制御回路１３０に含まれるタイミング生成回路２３が切換用垂直同期信号Ｓｖｓを生成する点とが異なる。以下、図５を参照してこの異なる点について説明する。
【００６７】
＜２．２  第１の液晶表示装置における表示制御回路＞
図５は、第１の液晶表示装置１００における表示制御回路１３０の構成を簡略に示すブロック図である。この表示制御回路１３０は、タイミング生成回路２３を備えており、第１の実施形態における場合と同様、このタイミング生成回路２３が水平同期信号ＨＳＹおよび垂直同期信号ＶＳＹを受け取ることにより、データドライバ用スタートパルス信号ＳＳＰ１と、データドライバ用クロック信号ＳＣＫ１と、ゲートドライバ用スタートパルス信号ＧＳＰ１と、ゲートドライバ用クロック信号ＧＣＫ１とを生成する。また同様に、この表示制御回路１３０は、外部の信号源から受け取った映像信号に含まれる画像データＤＡおよび水平同期信号ＨＳＹを第２の液晶表示装置２００へそのまま分配（分岐）出力している。
【００６８】
さらに、この表示制御回路１３０に備えられるタイミング生成回路２３は、第１の実施形態における場合とは異なり、水平同期信号ＨＳＹおよび垂直同期信号ＶＳＹに基づき切換用垂直同期信号Ｓｖｓを生成し、第２の液晶表示装置２００へ出力する。
【００６９】
ここで、このタイミング生成回路２１は、水平同期信号ＨＳＹの立ち下がり回数を計数するカウンタ回路を内蔵しており、このカウント回路は、垂直同期信号ＶＳＹの立ち上がり時点から最も近い水平同期信号ＨＳＹの立ち下がり時点（すなわち図３に示す時刻ｔ２）において上記計数動作を開始する。その後、このカウンタ回路により２３７回目の水平同期信号ＨＳＹの立ち下がり時点が計数されると、表示制御回路１３０は、この時点からさらに所定期間（具体的には時刻ｔ１から時刻ｔ２までの時間を１Ｈから差し引いた時間に相当する期間）の経過後、切換用垂直同期信号Ｓｖｓの電位をハイ（Ｈ）レベルからロー（Ｌ）レベルに立ち下げる。その時点から２Ｈ経過後、表示制御回路１３０は、切換用垂直同期信号Ｓｖｓの電位をロー（Ｌ）レベルからハイ（Ｈ）レベルに立ち上げることにより、図３に示すような切換用垂直同期信号Ｓｖｓを生成する。
【００７０】
＜２．３  第２の実施形態の効果＞
以上のように、第１の液晶表示装置１００は、垂直同期信号ＶＳＹを基準として、第１の実施形態の場合と同様、画像データ信号ＤＡの前半部分である垂直画像データＤＨ１からＤＨ２４０までを表示し、第２の液晶表示装置２００は、第１の液晶表示装置１００により生成された切換用垂直同期信号Ｓｖｓを基準として、この切換用垂直同期信号Ｓｖｓを垂直同期信号ＶＳＹに相当する信号として取り扱うことにより、画像データ信号ＤＡの後半部分である垂直画像データＤＨ２４１からＤＨ４８０までを表示する。このことにより、本液晶表示装置は、２つの信号源からそれぞれ異なる画像データを受け取る必要がなく、また外部の信号源から切換用垂直同期信号Ｓｖｓを受け取る必要もない。よって、表示させるべき画像データ（を含む映像信号）を生成する信号源が１つであっても、簡易な構成で複数の表示部における表示を行うことができ、また信号源の構成を簡単にすることができる。
【００７１】
＜３．  第３の実施形態＞
＜３．１  全体的な構成および動作＞
次に、本発明の第３の実施形態に係る液晶表示装置の構成および動作について説明する。本液晶表示装置の全体的な構成は、図１に示す第１の実施形態に係る液晶表示装置の構成とほぼ同様であるので、ほぼ同一の構成要素には同一の符号を付してその説明を省略する。本実施形態に係る液晶表示装置は、第１の液晶表示装置１００および第２の液晶表示装置２００がともに外部の信号源から、水平同期信号ＨＳＹ、垂直同期信号ＶＳＹ、および画像データＤＡを受け取り、第１の液晶表示装置１００と第２の液晶表示装置２００との間に信号の授受がない点が第１または第２の実施形態の場合とは異なる。
【００７２】
すなわち、本実施形態に係る第１の液晶表示装置１００は、水平同期信号ＨＳＹ、垂直同期信号ＶＳＹ、および画像データＤＡを受け取る点で、第１または第２の実施形態と同様であるが、切換用垂直同期信号Ｓｖｓを第２の液晶表示装置２００へ出力しない点でこれらとは異なる。また、本実施形態に係る第２の液晶表示装置２００は、水平同期信号ＨＳＹ、垂直同期信号ＶＳＹ、および画像データＤＡを受け取り、垂直同期信号ＶＳＹに基づき表示を行う点で第１または第２の実施形態とは異なる。以下、図６を参照して、本実施形態における第２の液晶表示装置２００に備えられる表示制御回路２２０の動作について説明する。
【００７３】
図６は、本液晶表示装置における各種信号の簡略な波形図である。この図６に示す時刻ｔ１において、垂直同期信号ＶＳＹが立ち上がるので、表示制御回路２２０に含まれるタイミング生成回路２２はこの時刻ｔ１から最も近い水平同期信号ＨＳＹの立ち下がり時点、すなわち図３に示す時刻ｔ２から所定の期間、ここでは第１の液晶表示装置１００における場合とは異なり、２４１水平同期期間（２４１Ｈ）経過後の時刻ｔ６において、画像データＤＡが開始される（すなわち垂直画像データＤＨ２４１が始まる）ことを識別する。すなわち、画像データ信号ＤＡの前半部分である垂直画像データＤＨ１からＤＨ２４０までは、第２の液晶表示装置２００により表示することができないデータとしてここでは無視され、画像データ信号ＤＡの後半部分である垂直画像データＤＨ２４１からＤＨ４８０までが画像データＤＡ２における垂直画像データＤＨ１からＤＨ２４０として表示されることになる。なお、本実施形態において、１水平同期期間（１Ｈ）毎に上記計数動作を行うことができる信号であれば上記水平同期信号ＨＳＹに限定されることなく、水平同期期間の情報を含む信号であればよい。
【００７４】
＜３．２  第３の実施形態の効果＞
以上のように、第１の液晶表示装置１００は、垂直同期信号ＶＳＹを基準として、第１の実施形態の場合と同様、画像データ信号ＤＡの前半部分である垂直画像データＤＨ１からＤＨ２４０までを表示し、第２の液晶表示装置２００は、画像データ信号ＤＡの後半部分である垂直画像データＤＨ２４１からＤＨ４８０までを表示するので、本液晶表示装置は、２つの信号源からそれぞれ異なる画像データ（を含む映像信号）を受け取る必要がなく、また外部の信号源または第１の液晶表示装置１００において、切換用垂直同期信号Ｓｖｓを生成する必要もない。よって、表示させるべき画像データ（を含む映像信号）を生成する信号源が１つであっても、簡易な構成で複数の表示部における表示を行うことができ、また信号源の構成を簡単にすることができ、さらに第１の液晶表示装置１００における表示制御回路の構成を簡単にすることができる。
【００７５】
＜４．  第４の実施形態＞
＜４．１  全体的な構成および動作＞
次に、本発明の第４の実施形態に係る液晶表示装置の構成および動作について説明する。本液晶表示装置の全体的な構成は、図１に示す第１の実施形態に係る液晶表示装置の構成とほぼ同様であるので、ほぼ同一の構成要素には同一の符号を付してその説明を省略する。本実施形態に係る液晶表示装置は、第１の液晶表示装置１００および第２の液晶表示装置２００がともに外部の信号源から、水平同期信号ＨＳＹ、垂直同期信号ＶＳＹ、および画像データＤＡを受け取り、第１の液晶表示装置１００と第２の液晶表示装置２００との間に信号の授受がない点は第３の実施形態の場合と同様であるが、画像データＤＡの構成およびその選択動作が上記各実施形態の場合とは異なる。
【００７６】
すなわち、第１の液晶表示装置１００に備えられる表示制御回路は、画像データＤＡに含まれる垂直画像データのうち奇数番目の垂直画像データＤＨ１，ＤＨ３，…，ＤＨ４７９のみを選択し、これらが１つ選択される毎に画像データＤＡ１に含まれる垂直画像データＤＨ１〜ＤＨ２４０としてデータドライバ１０１へ出力し、第２の液晶表示装置２００に備えられる表示制御回路は、画像データＤＡに含まれる垂直画像データのうち偶数番目の垂直画像データＤＨ２，ＤＨ４，…，ＤＨ４８０のみを選択し、これらが１つ選択される毎に画像データＤＡ２に含まれる垂直画像データＤＨ１〜ＤＨ２４０としてデータドライバ１０１へ出力する。なお、このような動作を実現するため、データドライバにより奇数番目または偶数番目の垂直画像データのいずれかのみが順にラッチされるように、データドライバ用クロック信号ＳＣＫ１，ＳＣＫ２の周期が（典型的には通常の２倍の長さとなるように）適宜に調整され、これらの信号およびデータドライバ用スタートパルス信号ＳＳＰ１，ＳＳＰ２の開始タイミング（位相）が適宜に調整される。また、表示制御回路は、１フレーム分の垂直画像データを記憶するメモリを備え、このメモリに外部の信号源から受け取った信号を一旦記憶した後、奇数番目または偶数番目の垂直画像データのいずれかのみを順に読み出す構成であってもよい。
【００７７】
＜４．２  第４の実施形態の効果＞
以上のように、第１の液晶表示装置１００は、画像データ信号ＤＡの偶数番目の垂直画像データを表示し、第２の液晶表示装置２００は、画像データ信号ＤＡの奇数番目の垂直画像データを表示するので、本液晶表示装置は、２つの信号源からそれぞれ異なる画像データ（を含む映像信号）を受け取る必要がなく、また外部の信号源から切換用垂直同期信号Ｓｖｓを受け取る必要もない。さらに、第１の液晶表示装置１００において切換用垂直同期信号Ｓｖｓを生成する必要もない。よって、表示させるべき画像データ（を含む映像信号）を生成する信号源が１つであっても、簡易な構成で複数の表示部における表示を行うことができ、また信号源の構成を簡単にすることができ、さらに第１の液晶表示装置１００における表示制御回路の構成を簡単にすることができる。
【００７８】
＜５．  第５の実施形態＞
＜５．１  遊技機の全体的な構成および動作＞
次に、本発明の第５の実施形態に係る遊技機の構成および動作について、図７および図８を参照して説明する。
【００７９】
図７は、第１の実施形態における液晶表示装置を備える本実施形態に係るスロットマシン型遊技機の構成を示す概略図であり、より詳細には、図７（ａ）は、本遊技機を正面方向から見たときの概略的な外観図であり、図７（ｂ）は、本遊技機の構成を示す概略的な側面断面図である。
【００８０】
図７に示されるように、本遊技機は、第１の実施形態において前述した液晶表示装置である第１の液晶表示装置１００および第２の液晶表示装置２００と、回転ドラム５１と、操作部５２と、第１の液晶表示装置１００を移動させる第１の駆動装置５３と、第２の液晶表示装置２００を移動させる第２の駆動装置５４と、これらの駆動装置および回転ドラム５１を制御する制御部５５と、液晶表示装置に画像データを含む映像信号を与える信号源５６とを備える。
【００８１】
回転ドラム５１は、遊技者に対向する面の中央近傍において、水平方向に回転軸を有する３個の回転ドラムを含んでおり、遊戯が開始されると制御部５５の制御に従ってこれらが回転しその後順次停止する。
【００８２】
信号源５６は、後述する切換用垂直同期信号Ｓｖｓ、液晶パネルに表示すべき画像を表す画像データ信号ＤＡ、水平同期信号ＨＳＹ、および垂直同期信号ＶＳＹ等の信号を第１の液晶表示装置１００に与える。前述のように、第１の液晶表示装置１００は、第２の液晶表示装置２００に切換用垂直同期信号Ｓｖｓ、画像データ信号ＤＡ、および水平同期信号ＨＳＹを与え、これらの液晶表示装置において様々な静止画像または動画像が表示される。
【００８３】
操作部５２は、コイン投入口と、複数のボタンと、レバーとからなり、遊戯者からコイン投入口を介して所定額のコインを受け取り、遊戯者によるレバーおよびボタンへの入力操作を受け付ける。
【００８４】
第１の駆動装置５３および第２の駆動装置５４は、電動モータおよびラックピニオン機構などの駆動機構からなり、遊戯者と対向する面に沿って第１の液晶表示装置１００および第２の液晶表示装置２００を移動させる。
【００８５】
制御部５５は、操作部５２においてコインが受け取られるまでは、第１の駆動装置５３および第２の駆動装置５４を駆動制御することにより、第１の液晶表示装置１００の上辺と第２の液晶表示装置２００の下辺とが接触する位置であって、これら第１の液晶表示装置１００および第２の液晶表示装置２００で覆われることにより回転ドラム５１が遊戯者から見えなくなる位置（以下「閉鎖位置」という）に配置する。
【００８６】
図８は、液晶表示装置が閉鎖位置にあるときの本実施形態に係るスロットマシン型遊技機の構成を示す概略図であり、より詳細には、図８（ａ）は、本遊技機を正面方向から見たときの概略的な外観図であり、図８（ｂ）は、本遊技機の構成を示す概略的な側面断面図である。
【００８７】
図８に示されるように、遊戯者がコインを投入するまでは、本遊技機の主たる構成要素である回転ドラム５１が遊戯者から見えず、閉鎖位置にある第１の液晶表示装置１００および第２の液晶表示装置２００のみが見えるにすぎない。このため、本遊技機は一般的なスロットマシン型遊技機の外観とは異なるものとなるので、遊戯者に興味を抱かせることができる。また、閉鎖位置にある第１の液晶表示装置１００および第２の液晶表示装置２００により、（連続した）１枚の静止画像または動画像を表示することができるので、このことにより遊戯者に興味を抱かせ、目を引く演出を行うことが可能となる。
【００８８】
その後、コインが投入されると、制御部５５は、操作部５２においてコインが受け取られたことを検知し、第１の駆動装置５３および第２の駆動装置５４を駆動制御することにより、第１の液晶表示装置１００および第２の液晶表示装置２００により回転ドラム５１が遊戯者から見える位置（以下「開放位置」という）に配置する。このように液晶表示装置が移動することにより、遊戯者に興味を抱かせ、目を引く演出を行うことが可能となる。
【００８９】
図７は、液晶表示装置が開放位置にあるときの本遊技機の構成を示している。この開放位置に配置された第１の液晶表示装置１００および第２の液晶表示装置２００は、遊戯状態に合わせて別々の静止画像または動画像を表示する。
【００９０】
さらに遊戯者による遊戯が終了した後、制御部５５は、内蔵するタイマにより所定時間、例えば１０分が経過するまで待機し、この所定時間が経過すると、第１の駆動装置５３および第２の駆動装置５４を駆動制御することにより第１の液晶表示装置１００および第２の液晶表示装置２００を開放位置から閉鎖位置へ配置する。
【００９１】
＜５．２  第５の実施形態の効果＞
本遊技機は、１つの信号源で２つの液晶表示装置を駆動し、この２つの液晶表示装置を開放位置である回転ドラム５１の上方および下方にそれぞれ配置しつつこれらを１つの信号源で駆動し、また所定の場合にこれらの液晶表示装置を開放位置から閉鎖位置に（またはその逆に）移動する。この構成により、表示させるべき画像データ（を含む映像信号）を生成する信号源が１つであっても、簡易な構成で回転ドラム５１の上下に配置された２つの表示部における表示を行うことができ、またこれらの液晶表示装置を移動することにより、遊戯者に興味を抱かせ、目を引く演出を行うことが可能となる。
【００９２】
＜６．  各実施形態の変形例＞
第１の実施形態では、液晶表示装置が第１の液晶表示装置１００および第２の液晶表示装置２００を備えるが、さらに第３の液晶表示装置を１つ以上備える構成であってもよい。この構成では、信号源が切換用垂直同期信号Ｓｖｓとは別に、１つ以上の第３の液晶表示装置における垂直同期信号に相当する１つ以上の切換用垂直同期信号を生成し、第３の液晶表示装置に直接または第１の液晶表示装置１００および第２の液晶表示装置２００を介して与える。また、接続される液晶表示装置の数に応じて画像データ信号ＤＡや切換用垂直同期信号の立ち上がり時点が適宜設定される。第３の液晶表示装置は、この切換用垂直同期信号を垂直同期信号に相当する信号として取り扱うことにより、画像データ信号ＤＡのうちの所定の範囲内の画像データに基づき表示を行う。例えば、第１の液晶表示装置１００は画像データ信号ＤＡのうちの最初から所定の第１の時点までの画像データに基づき表示を行い、第２の液晶表示装置２００は画像データ信号ＤＡのうちの切換用垂直同期信号Ｓｖｓにより示される第１の時点から所定の第２の時点までの画像データに基づき表示を行い、第３の液晶表示装置は画像データ信号ＤＡのうちの切換用垂直同期信号Ｓｖｓとは異なる切換用垂直同期信号により示される第２の時点から所定の第３の時点（第３の液晶表示装置が１つであれば最後の時点）までの画像データに基づき表示を行う。
【００９３】
また、第１の実施形態では、第１の液晶表示装置１００が外部の信号源から切換用垂直同期信号Ｓｖｓ、画像データ信号ＤＡ、水平同期信号ＨＳＹ、および垂直同期信号ＶＳＹを受け取り、第２の液晶表示装置２００が第１の液晶表示装置１００から切換用垂直同期信号Ｓｖｓ、画像データ信号ＤＡ、および水平同期信号ＨＳＹを受け取る構成であるが、第１の液晶表示装置１００が外部の信号源から画像データ信号ＤＡ、水平同期信号ＨＳＹ、および垂直同期信号ＶＳＹを受け取り、第２の液晶表示装置２００も外部の信号源から切換用垂直同期信号Ｓｖｓ、画像データ信号ＤＡ、および水平同期信号ＨＳＹを受け取る構成であってもよい。もっとも、この構成では、信号源から２つの液晶表示装置に対して信号伝送用の２つの配線が必要となり、また信号源が水平同期信号ＨＳＹおよび垂直同期信号ＶＳＹを合成した１つの信号を生成する場合、第２の液晶表示装置２００において水平同期信号ＨＳＹおよび垂直同期信号ＶＳＹを分離した後、垂直同期信号ＶＳＹを廃棄しこれに代えて切換用垂直同期信号Ｓｖｓを使用する特殊な構成が必要となるので、製造コストがかかる。
【００９４】
さらに、第１の実施形態では、第２の液晶表示装置２００が切換用垂直同期信号Ｓｖｓを垂直同期信号ＶＳＹに相当する信号として取り扱うことにより画像表示を行うが、この切換用垂直同期信号Ｓｖｓは第２の液晶表示装置２００において垂直画像データの開始を識別することに使用されるものであればどのような信号であってもよく、例えば切換用垂直同期信号Ｓｖｓは１クロック幅程度のハイレベル期間を有するパルス波であり、このパルス波を基準として第２の液晶表示装置２００において垂直同期信号ＶＳＹに相当する信号が生成されてもよい。
【００９５】
第２の実施形態では、液晶表示装置が第１の液晶表示装置１００および第２の液晶表示装置２００を備えるが、上述した第１の実施形態の変形例と同様、さらに第３の液晶表示装置を１つ以上備える構成であってもよい。この構成では、切換用垂直同期信号Ｓｖｓとは別に、第１の液晶表示装置１００または第２の液晶表示装置２００が１つ以上の第３の液晶表示装置における垂直同期信号に相当する１つ以上の切換用垂直同期信号を生成し、第３の液晶表示装置に直接または第２の液晶表示装置２００を介して与える。また、接続される液晶表示装置の数に応じて画像データ信号ＤＡや切換用垂直同期信号の立ち上がり時点が適宜設定される。第３の液晶表示装置は、この切換用垂直同期信号を垂直同期信号に相当する信号として取り扱うことにより、画像データ信号ＤＡのうちの所定の範囲内の画像データに基づき表示を行う。
【００９６】
同様に第３および第４の実施形態において、さらに第３の液晶表示装置を１つ以上備える構成であってもよい。この構成では、接続される液晶表示装置の数に応じて画像データ信号ＤＡおよび当該画像データＤＡに含まれる各垂直画像データの各液晶表示装置に対する対応関係（割り当て）が適宜設定される。例えば、第４の実施形態において第３の液晶表示装置が１つ備えられる場合、第１の液晶表示装置１００は、画像データのうちの各フレームにおける最初の画像データから２つずつ間隔をあけた画像データに基づく表示を行い、第２の液晶表示装置２００は、画像データのうちの各フレームにおける２番目の画像データから２つずつ間隔をあけた画像データに基づく表示を行い、第３の液晶表示装置は、画像データのうちの各フレームにおける３番目の画像データから２つずつ間隔をあけた画像データに基づく表示を行う。
【００９７】
第５の実施形態における遊技機は、遊戯者が席に着いたことを検知する光センサなどの検知手段を新たに備え、コイン投入までであってもこの検知手段により遊戯者が席に着いたことが検知されれば、閉鎖位置にある第１の液晶表示装置１００および第２の液晶表示装置２００を開放状態に移行するよう動作してもよい。そうすれば、コイン投入前に液晶表示装置が動いて遊戯者の目前に回転ドラム５１が出現する意外性のある動作が行われることで、本遊技機の遊戯性がさらに高められる。
【００９８】
また、第５の実施形態における遊技機は、２つの液晶表示装置を開放位置である回転ドラム５１の上方および下方にそれぞれ配置するが、２つ以上の液晶表示装置が回転ドラム５１を挟む位置に配置されればよい。例えば、２つの液晶表示装置が回転ドラム５１の左近傍および右近傍にそれぞれ配置されてもよい。このような配置構成は、遊技者の目を引くため、遊技機の遊戯性が高められる。
【００９９】
また、第５の実施形態における遊技機は、２つの液晶表示装置を開放位置から閉鎖位置に（またはその逆に）移動するが、液晶表示装置が必ずしも回転ドラム５１を遊技者の目から隠す閉鎖位置にある必要はなく、例えば回転ドラム５１の周囲を回転するなど所定の場合に移動すればよい。このような構成は、遊技者の目を引くため、遊技機の遊戯性が高められる。
【０１００】
さらにまた、第５の実施形態における遊技機に使用される液晶表示装置は、第１の実施形態における液晶表示装置に限定されるものではなく、第２ないし第４の実施形態またはそれらの変形例における液晶表示装置であってもよい。
【０１０１】
さらに、第５の実施形態における遊技機はスロットマシン型遊技機であるが、回転ドラム５１またはこれに相当する構成要素を有する遊技機であれば、パチンコ型遊技機などどのような遊技機であってもよい。
【０１０２】
第１または第２の実施形態では、第１の液晶表示装置１００が外部の信号源から受け取った画像データ信号ＤＡをそのまま第２の液晶表示装置２００に与える構成であるが、第１の液晶表示装置１００に備えられる表示制御回路１２０または表示制御回路１２０により、第１の液晶表示装置１００において表示されるべき画像データ信号ＤＡを第２の液晶表示装置２００に与えず、第２の液晶表示装置２００において表示されるべき画像データ信号ＤＡのみを第２の液晶表示装置２００に与えるように切り換える構成であってもよい。この構成により、第１の液晶表示装置１００と第２の液晶表示装置２００との間の高周波信号の伝送により発生する不要輻射を抑制することができる。このような構成は、表示制御回路１２０に備えられるタイミング生成回路２１または表示制御回路２２０に備えられるタイミング生成回路２２が第１の液晶表示装置１００において表示されるべき画像データ信号ＤＡの終了（終端）を検出し切り換えることにより容易に実現することができる。
【０１０３】
第１から第５までの実施形態における第１の液晶表示装置１００および第２の液晶表示装置２００は、銅線等の配線により接続されているが、赤外光や電波などの電磁波を利用した周知の無線伝送方式により接続されていてもよい。この無線伝送方式により、有線接続の場合よりも第１の液晶表示装置１００および第２の液晶表示装置２００の配置位置が自由となり、また配線に必要なスペースを省略することができる。
【０１０４】
第１から第５までの実施形態における第１の液晶表示装置１００および第２の液晶表示装置２００は、同期信号として水平同期信号ＨＳＹと垂直同期信号ＶＳＹまたは切換垂直同期信号Ｓｖｓとを受け取るが、水平同期および垂直同期を示す同期信号であればこれらの信号に限定されることはなく、例えば垂直帰線期間中および水平帰線期間中はローレベルであり、画像データＤＡに含まれる水平画像データ領域に相当する期間中はハイレベルとなるようなデータイネーブル信号を同期信号として受け取る構成であってもよい。
【０１０５】
第１から第５までの実施形態における第１の液晶表示装置１００および第２の液晶表示装置２００は、表示部に液晶を使用しているが、液晶以外の電気光学素子、例えば有機ＥＬ（Electro Luminescence）素子やＬＥＤ（light emitting diode）などを使用する表示装置であってもよいし、さらにＣＲＴ（cathode ray tube）表示装置など、垂直同期信号および水平同期信号またはこれらに相当する信号を利用することにより画像を表示する装置であればよい。
【図面の簡単な説明】
【０１０６】
【図１】本発明の第１の実施形態に係る液晶表示装置の構成をその表示部の等価回路と共に示すブロック図である。
【図２】上記実施形態における第１の液晶表示装置に備えられる表示制御回路の構成を示すブロック図である。
【図３】上記実施形態における各種信号の簡略な波形図である。
【図４】上記実施形態における第２の液晶表示装置に備えられる表示制御回路の構成を示すブロック図である。
【図５】本発明の第２の実施形態における表示制御回路の構成を示すブロック図である。
【図６】本発明の第３の実施形態に係る液晶表示装置における各種信号の簡略な波形図である。
【図７】本発明の第５の実施形態に係るスロットマシン型遊技機の構成を示す概略図である。
【図８】上記実施形態において、液晶表示装置が閉鎖位置にあるときのスロットマシン型遊技機の構成を示す概略図である。
【符号の説明】
【０１０７】
１０      …薄膜トランジスタ（ＴＦＴ）
２１，２２，２３      …タイミング生成回路
５１      …回転ドラム
５２      …操作部
５３      …第１の駆動装置
５４      …第２の駆動装置
５５      …制御部
５６      …信号源
１０１，２０１    …データドライバ（映像信号線駆動回路）
１０２，２０２    …ゲートドライバ（走査信号線駆動回路）
１０３，２０３    …表示部
１２０，１３０，２２０    …表示制御回路
Ｃｐ      …画素容量
Ｅｃ      …共通電極
ＧＬ１〜ＧＬｍ    …ゲート線（走査信号線）
ＳＬ１〜ＳＬｎ    …データ線（映像信号線）
Ｓ（１）〜Ｓ（ｎ）…データ信号（映像信号）
Ｓｖｓ  …切換用垂直同期信号
ＶＳＹ  …垂直同期信号
ＨＳＹ  …水平同期信号
ＤＡ，ＤＡ１，ＤＡ２  …画像データ（映像信号）
ＧＳＰ１，ＧＳＰ２    …ゲートドライバ用スタートパルス
ＧＣＫ１，ＧＣＫ２    …ゲートドライバ用クロック信号
ＳＳＰ１，ＳＳＰ２    …データドライバ用スタートパルス
ＳＣＫ１，ＳＣＫ２    …データドライバ用クロック信号
ＳＳＰ１，ＳＳＰ２    …データドライバ用スタートパルス
【図１】
2007029608.tif 000003
【図２】
2007029608.tif 000004
【図３】
2007029608.tif 000005
【図４】
2007029608.tif 000006
【図５】
2007029608.tif 000007
【図６】
2007029608.tif 000008
【図７】
2007029608.tif 000009
【図８】
2007029608.tif 000010